(57)【要約】【課題】万歩計（登録商標）を用いて、認知症予防対策の健康器具を提供すること。【解決手段】円筒形筆記具の柄部分（１）に収容孔（２）を設ける。また、柄部分（１）の外側に液晶パネル孔（３）を設置し、振動検知装置（４）の振動検知方向が円筒形筆記具の軸方向（５）に一致する向きで、収容孔（２）の内部に万歩計（登録商標）（６）を格納する。液晶パネル孔（３）の内部に万歩計（登録商標）の液晶パネル（７）を設置する。【選択図】図１
2007253482.tif 000002
【特許請求の範囲】
【請求項１】
万歩計（登録商標）を内蔵することを特徴とする万歩計（登録商標）内蔵型携帯筆記具。
【請求項２】
回転運動を計測することを特徴とする請求項１記載の万歩計（登録商標）内蔵型携帯筆記具。
【請求項３】
複合筆記具のスライド式スイッチをリセットスイッチと連動させたことを特徴とする請求項１または２記載の万歩計（登録商標）内蔵型携帯筆記具。
【請求項４】
複合筆記具のスライド式スイッチを電源スイッチと連動させたことを特徴とする請求項１から３のいずれか１項に記載の万歩計（登録商標）内蔵型携帯筆記具。
【請求項５】
万歩計（登録商標）内蔵型携帯筆記具により回転運動を計測することを特徴とする測定方法。
【請求項６】
前記万歩計（登録商標）内蔵型携帯筆記具は、複合筆記具のスライド式スイッチをリセットスイッチと連動させたことを特徴とする請求項５記載の測定方法。
【請求項７】
前記万歩計（登録商標）内蔵型携帯筆記具は、複合筆記具のスライド式スイッチを電源スイッチと連動させたことを特徴とする請求項５または６記載の測定方法。
【発明の詳細な説明】
【技術分野】
【０００１】
本発明は、人間の指による筆記具の回転数を計測する技術に関する。
【背景技術】
【０００２】
近年の健康ブームにより、万歩計（登録商標）をはじめとした健康器具の需要は高まっている。
【０００３】
また、指の運動を欠かさず行うことは、認知症予防に効果的であるということが一般的に知られている。
【０００４】
ここで、ベルト用バックル本体の内部に収納孔を設け、その収容孔の下部に水平方向に凹んだ凹所を設け、その凹所の両側の対向する壁面の対向位置に、それぞれ連接孔を設けて、枢軸で万歩計（登録商標）をバックル本体に連結し、また、バックル本体の前面上側に突起部を設けて万歩計（登録商標）の開閉をすることで、ベルト用バックルに万歩計（登録商標）を内蔵して、常時歩数を計測して、成人病予防対策等に必要な健康器具を提供することができる技術が提案されている（例えば、特許文献１参照）。
【特許文献１】特開２００２−０５８５０７号公報
【発明の開示】
【発明が解決しようとする課題】
【０００５】
しかしながら、上述した従来例においては次のような問題点があった。
【０００６】
従来の万歩計（登録商標）を用いて、筆記具の回転運動による振動を検知するためには、万歩計（登録商標）を外付けの形で筆記具に取り付ける必要があり、筆記具としての実用性を大きく損なう。
【０００７】
また、従来型の万歩計（登録商標）は、ベルトに接続する形式のものであるため、筆記具の回転運動による振動を検知する用途に使用する場合、従来とは異なる振動検知装置の精度設定を行わなければならない。
【０００８】
本発明は、以上説明した事情に鑑みてなされたものであり、その目的は、万歩計（登録商標）を用いて、認知症予防対策の健康器具を提供することにある。
【課題を解決するための手段】
【０００９】
上記課題を解決するために、本発明は、万歩計（登録商標）を内蔵する万歩計（登録商標）内蔵型携帯筆記具を提供する。
【００１０】
また、本発明は、万歩計（登録商標）内蔵型携帯筆記具により回転運動を計測する測定方法を提供する。
【発明の効果】
【００１１】
本発明によれば、万歩計（登録商標）を用いて、認知症予防対策の健康器具を提供することができる。
【発明を実施するための最良の形態】
【００１２】
以下、本発明の第１の実施の形態について図面を参照して詳細に説明する。
【００１３】
図１を参照すると、本実施の形態における万歩計（登録商標）内蔵型携帯筆記具は、円筒形筆記具の柄部分（１）に収容孔（２）を設ける。
【００１４】
また、柄部分（１）の外側に液晶パネル孔（３）を設置し、振動検知装置（４）の振動検知方向が円筒形筆記具の軸方向（５）に一致する向きで、収容孔（２）の内部に万歩計（登録商標）（６）を格納する。
【００１５】
液晶パネル孔（３）の内部に万歩計（登録商標）の液晶パネル（７）を設置する。
【００１６】
図２において、万歩計（登録商標）を内蔵するための筆記具の準備を行う。
【００１７】
使用する筆記具は、万年筆、ボールペン、シャープペンシルなどが考えられる。
【００１８】
その中で複数色のボールペンおよびシャープペンシルを内蔵した複合筆記具を用いることが特に望ましい。理由は、単一型の筆記具に比べて柄部（１）の直径が大きく、万歩計（登録商標）の収容孔（２）として確保する空間を得ることが容易であるためである。また、複合筆記具の機能切り替えに用いるスイッチを、万歩計（登録商標）機能の切り替えスイッチと統合することにより、筆記具としての機能と万歩計（登録商標）としての機能を容易に切り替えることができるためである。
【００１９】
以上の特徴を持った筆記具の柄部（１）に対して、収容孔（２）および液晶パネル孔（３）を設ける。この際、筆記具の内芯（１２）は、通常の筆記具より１０ｃｍ〜１５ｃｍ短い形に切り詰めて使用する。これにより、万歩計（登録商標）の収容孔（２）を設けることが容易になる。
【００２０】
以上の手順で確保した収容孔（２）の内部に、万歩計（登録商標）（６）を格納する。
【００２１】
筆記具に内蔵する万歩計（登録商標）（６）は、一般的に使用される筆記具の内部に格納可能な程度の大きさであることが望ましい。なぜならば、内蔵する万歩計（登録商標）（６）の大きさを充分に小さくすることで、筆記具として用いた場合の操作性を損なわないためである。
【００２２】
同時に、内蔵する万歩計（登録商標）は、筆記具に設けた液晶パネル孔（３）に納まる程度に小型化された液晶パネル（７）を持つ必要がある。これは、外部から振動数の計測結果を容易に把握することができるようにするためである。
【００２３】
万歩計（登録商標）を筆記具内部に格納するのと同時に、万歩計（登録商標）の振動検知装置（４）の感度に関して調整を行う。この感度に関しては、通常の筆記作業では振動数が計測されず、かつ回転運動の遠心力に伴う振動については計測される程度に調節を行う。
【００２４】
なぜならば、人間による筆記具の回転運動は、筆記作業の合間に行われることが通常であり、筆記作業による振動が計測されない場合、回転運動のみに起因する正確な振動数を計測できるためである。
【００２５】
本実施の形態では、図３に挙げるように、一般的な複合筆記具で用いられるスライド式の切り替えスイッチ（９）を万歩計（登録商標）の電源スイッチおよび回転数初期化スイッチに連動させる。
【００２６】
すなわち、スライド式スイッチを筆記具の先端方向（１０）にスライドさせると、万歩計（登録商標）の電源スイッチが入り、カウントが０に初期化される。逆に、スライド式スイッチを筆記具の末端方向（１１）にスライドさせることにより、万歩計（登録商標）の電源スイッチが切られる。
【００２７】
これにより、筆記具を解体することなしに外部から万歩計（登録商標）の電源を操作する機能を与えることになり、操作性の向上が期待できる。
【００２８】
次に、本実施の形態の動作を説明する。
【００２９】
図４において、万歩計（登録商標）機能切り替えスイッチがスライドされていない状態（イ）では、通常の筆記具と同様の機能を有し、使用者は通常通り筆記動作を行うことができる。
【００３０】
この状態で回転動作を行ったとしても、内部の万歩計（登録商標）に与える影響はない。
【００３１】
万歩計（登録商標）機能切り替えスイッチを押し下げると、直前に使用されていた筆記具に対応する切り替えスイッチが上方向に押し上げられ、筆記具の芯部は筒部に収納される。
【００３２】
同時に、内蔵された万歩計（登録商標）の電源スイッチが入り、万歩計（登録商標）の歩数カウントが０に初期化され、液晶パネルに「０」という数字の表示が行われる（ロ）。
【００３３】
続けて、使用者が筆記具に対して1回の回転動作を行うと、回転動作に伴った遠心力が、筆記具の下方向から上方向の向きに発生する。
【００３４】
内蔵された万歩計（登録商標）はこの遠心力を検出し、万歩計（登録商標）内部で保持している歩数のカウント値を1増加させ、結果のカウント値を液晶パネルに更新する（ハ）。
【００３５】
最後に、筆記具に対応する切り替えスイッチを押し下げると、万歩計（登録商標）の歩数カウントが０に初期化されると同時に、万歩計（登録商標）の電源スイッチが切られ、液晶パネルの表示が消える。
【００３６】
同時に、切り替えスイッチに対応した筆記具が筒部から押し出され、再び筆記可能な状態となる（ニ）。
【００３７】
上記の本実施の形態によれば、認知症予防対策の効果が生まれる。その理由は、筆記具に万歩計（登録商標）を内蔵することにより、筆記具の回転数を計測し、人間の指先による筆記具の回転運動を促す効果があるためである。
【００３８】
また、筆記具としての用途を損なわない。その理由は、筆記具に格納可能な程度に小型化された万歩計（登録商標）を内蔵するためである。
【００３９】
また、健康器具としての機能・筆記具としての機能の２つを容易に切り替えることができる。その理由は、複合筆記具の切り替えに用いるスイッチを、万歩計（登録商標）の電源スイッチに統合したためである。
【００４０】
次に、本発明の第２の実施の形態について説明する。
【００４１】
万歩計（登録商標）内部の振動検知装置の感度を、通常の歩行による振動に合わせることで、歩数計測可能な筆記具としての実施例も考えられる。その場合、本実施の形態ではベルトに接続する代わりに、胸ポケットに接続する形で使用する。
【００４２】
なお、上述する各実施の形態は、本発明の好適な実施の形態であり、本発明の要旨を逸脱しない範囲内において種々変更実施が可能である。例えば、万歩計（登録商標）の歩数カウントを初期化するスイッチを、筆記具切り替えスイッチと連動させ、万歩計（登録商標）の電源を切らずにカウントを初期化できるようにしてもよい。
【００４３】
また、本発明は、従来型の健康器具を持ち歩くことに抵抗を感じていた中高年世代への健康器具の普及、認知症の予防・改善に向けた活動の促進および筆記具の回転運動を促進するコミュニティへの貢献が可能である。
【図面の簡単な説明】
【００４４】
【図１】本発明の第１の実施の形態における万歩計（登録商標）内蔵型携帯筆記具の外観構成を示す図である。
【図２】本発明の第１の実施の形態における万歩計（登録商標）内蔵型携帯筆記具の断面図である。
【図３】本発明の第１の実施の形態における万歩計（登録商標）内蔵型携帯筆記具のスイッチを示す図である。
【図４】本発明の第１の実施の形態における動作を示す図である。
【符号の説明】
【００４５】
１    柄部分
２    収容孔
３    液晶パネル孔
４    振動検知装置
５    軸方向
６    万歩計（登録商標）
７    液晶パネル
【図１】
2007253482.tif 000003
【図２】
2007253482.tif 000004
【図３】
2007253482.tif 000005
【図４】
2007253482.tif 000006